(57)【要約】  リモート端末と基地局との間でデータを中継するリレー端末として動作するユーザ装置は、前記リモート端末に対してデータの送信先であるグループキャストＩＤを送信する送信部と、前記リモート端末から接続解放要求を受信する受信部と、前記リモート端末から接続解放要求を受信した場合、前記リモート端末との接続を解放する接続管理部とを有する。
2016158266.tif 000002
【特許請求の範囲】
【請求項１】
リモート端末と基地局との間でデータを中継するリレー端末として動作するユーザ装置であって、
前記リモート端末に対してデータの送信先であるグループキャストＩＤを送信する送信部と、
前記リモート端末から接続解放要求を受信する受信部と、
前記リモート端末から接続解放要求を受信した場合、前記リモート端末との接続を解放する接続管理部と、
を有するユーザ装置。
【請求項２】
前記基地局との間のリンクの品質又は前記リモート端末との間のリンクの品質を測定する品質測定部を更に有し、
前記送信部は、前記基地局との間のリンクの品質又は前記リモート端末との間のリンクの品質が閾値を下回った場合、品質劣化を前記リモート端末に通知する、請求項１に記載のユーザ装置。
【請求項３】
データを中継する機能を有するリレー端末を介して基地局と通信するリモート端末として動作するユーザ装置であって、
前記リレー端末に加えて別のリレー端末との間にリンクを設定する接続管理部と、
前記リレー端末からデータの送信先であるグループキャストＩＤを受信する受信部と、
グループキャストＩＤに基づいて、データを送信する送信部と、
を有し、
前記送信部は、更に、接続解放要求を前記リレー端末に送信するユーザ装置。
【請求項４】
前記リレー端末から品質劣化が通知された場合、別のリレー端末を選択するリレー端末選択部を更に有する、請求項３に記載のユーザ装置。
【請求項５】
前記接続管理部は、前記リレー端末から接続解放要求に対する応答を受信した場合、又は前記リレー端末への接続解放要求から一定時間が経過した場合、前記リレー端末との接続を解放する、請求項３又は４に記載のユーザ装置。
【請求項６】
リモート端末と基地局との間でデータを中継するリレー端末として動作するユーザ装置であって、
前記リモート端末との接続が設定された場合、前記リモート端末、前記基地局又は別のリレー端末からアドレス情報を受信する受信部と、
受信したアドレス情報に従ってＩＰアドレスを設定するＩＰアドレス設定部と、
を有するユーザ装置。
【請求項７】
リモート端末と基地局との間でデータを中継するリレー端末として動作するユーザ装置であって、
前記リモート端末が前記基地局と接続されたことを示す接続情報を受信する受信部と、
前記接続情報を受信した場合、前記リモート端末との接続を解放する接続管理部と、
を有するユーザ装置。
【請求項８】
データを中継する機能を有するリレー端末を介して基地局と通信するリモート端末として動作するユーザ装置であって、
基地局のカバレッジ内に移動した場合、当該基地局と接続する接続管理部と、
前記基地局と接続したことを示す接続情報を前記リレー端末に送信する送信部と、
を有し、
前記接続管理部は、前記基地局と接続したことを示す接続情報を前記リレー端末に送信することにより、前記リレー端末との接続を解放するユーザ装置。
【請求項９】
基地局と通信するユーザ装置であって、
前記基地局との間のリンクの品質を測定する品質測定部と、
前記基地局との間のリンクの品質が閾値を下回った場合、前記ユーザ装置と前記基地局との間でデータを中継するリレー端末に接続要求を送信する送信部と、
前記リレー端末との接続を設定する接続管理部と、
を有するユーザ装置。
【発明の詳細な説明】
【技術分野】
【０００１】
本発明は、Ｄ２Ｄ（ユーザ装置間）通信に関するものであり、特に、Ｄ２Ｄ通信における接続を管理するためのユーザ装置、接続管理方法及びアドレス設定方法に関する。
【背景技術】
【０００２】
現状のＬＴＥ等の移動体通信システムでは、ユーザ装置ＵＥと基地局ｅＮＢが通信を行うことにより基地局ｅＮＢ等を介してユーザ装置ＵＥ間で通信を行うことが一般的であるが、近年、ユーザ装置ＵＥ間で直接に通信を行うＤ２Ｄ通信（Ｓｉｄｅ  Ｌｉｎｋ通信とも呼ばれ、以降、"Ｄ２Ｄ"と呼ぶ）についての種々の技術が提案されている。【０００３】
特に、ＬＴＥにおけるＤ２Ｄ通信では、ユーザ装置ＵＥ間でプッシュ通話等のデータ通信を行う「Ｃｏｍｍｕｎｉｃａｔｉｏｎ（コミュニケーション）」と、ユーザ装置ＵＥが、自身のＩＤやアプリケーションＩＤ等を含む発見（Ｄｉｓｃｏｖｅｒｙ）信号を送信することで、受信側のユーザ装置ＵＥに送信側のユーザ装置ＵＥの検出を行わせる「Ｄｉｓｃｏｖｅｒｙ（発見）」が提案されている（非特許文献１参照）。なお、Ｃｏｍｍｕｎｉｃａｔｉｏｎは、例えば、Ｐｕｂｌｉｃ  ｓａｆｅｔｙ（警察・消防無線など）への適用が想定されている。【０００４】
また、ＣｏｍｍｕｎｉｃａｔｉｏｎやＤｉｓｃｏｖｅｒｙのため、ユーザ装置ＵＥ間の同期が必要となる。その際に、基地局ｅＮＢのカバレッジ内のユーザ装置ＵＥが、基地局ｅＮＢから受信した同期信号を基地局ｅＮＢのカバレッジ外のユーザ装置ＵＥに中継することができる。その結果、基地局ｅＮＢのカバレッジ外のユーザ装置ＵＥであっても、基地局ｅＮＢの同期タイミングを把握することが可能になる。
【先行技術文献】
【非特許文献】
【０００５】
【非特許文献１】３ＧＰＰ  ＴＲ  ３６．８４３  Ｖ１２．０．１  （２０１４−０３）
【非特許文献２】３ＧＰＰ  ＴＳ  ２３．３０３  Ｖ１２．２．０  （２０１４−０９）
【発明の概要】
【発明が解決しようとする課題】
【０００６】
今後は、基地局ｅＮＢのカバレッジ内のユーザ装置ＵＥが、基地局ｅＮＢから受信した同期信号を基地局ｅＮＢのカバレッジ外のユーザ装置ＵＥに中継するだけでなく、基地局ｅＮＢとカバレッジ外のユーザ装置ＵＥとの間のデータを中継することにより、Ｄ２Ｄ通信を基地局ｅＮＢのカバレッジの拡張のために利用することが想定される。すなわち、基地局ｅＮＢのカバレッジ内において信号中継機能を有するユーザ装置ＵＥ（以降、"リレー端末"と呼ぶ）が、基地局ｅＮＢのカバレッジ外のユーザ装置ＵＥ（以降、"リモート端末"と呼ぶ）から受信したデータを基地局ｅＮＢに中継し、基地局ｅＮＢから受信したデータをリモート端末ＵＥに中継すること（以降、"Ｄ２Ｄリレー"と呼ぶ）により、リモート端末ＵＥが基地局ｅＮＢと通信することが可能になる。リモート端末は基地局ｅＮＢのカバレッジ外のユーザ装置ＵＥだけでなく、基地局ｅＮＢのカバレッジ内のユーザ装置ＵＥでもよい。例えば、基地局ｅＮＢのカバレッジ外で基地局ｅＮＢの同期信号・報知情報が受信できない場合や、同期ソースとしてユーザ装置が送信する同期信号を用いている場合、あるいはＲＲＣ接続が完了できないなどの理由でネットワークへ接続できない場合には、ユーザ装置ＵＥは、リモート端末として基地局ｅＮＢと通信することができる。なお、Ｄ２Ｄリレーは、ＩＰレイヤ上で実現されることが検討されている（非特許文献２参照）。【０００７】
Ｄ２Ｄリレーにおいて、リモート端末ＵＥと基地局ｅＮＢとの間の通信品質は、リモート端末ＵＥとリレー端末ＵＥとの間の通信品質と、リレー端末ＵＥと基地局ｅＮＢとの間の通信品質とに依存する。通信品質の変化によってリレー端末ＵＥがＤ２Ｄリレーに適さなくなった場合、リモート端末ＵＥは別のリレー端末ＵＥを選択する必要がある。また、リモート端末ＵＥが基地局ｅＮＢのカバレッジ内に移動した場合、リモート端末ＵＥは、リレー端末ＵＥを経由することなく、基地局ｅＮＢと通信することが可能になる。更に、基地局ｅＮＢと通信中のユーザ装置ＵＥが基地局ｅＮＢのカバレッジ外に移動した場合、そのユーザ装置ＵＥは、リモート端末ＵＥとしてリレー端末ＵＥに接続する必要がある。【０００８】
このようにリモート端末ＵＥと基地局ｅＮＢとの間の通信品質の変化等によってＤ２Ｄリレーの通信経路が変化する可能性があるが、このときに、ネットワーク接続が維持されることが望まれる。例えば、Ｄ２ＤリレーがＩＰレイヤ上で実現される場合、リモート端末ＵＥが別のリレー端末ＵＥ又は基地局ｅＮＢと接続する場合、ＭＡＣレイヤ等の低レイヤで接続が行われた後に、ＩＰアドレスの設定等の手順が行われる。このような接続手順の間にネットワーク接続が切断される可能性がある。【０００９】
本発明は、Ｄ２Ｄリレーの通信経路が変化した場合、リモート端末ＵＥと基地局ｅＮＢとの間の接続の安定化を図ることを目的とする。
【課題を解決するための手段】
【００１０】
本発明の一形態に係るユーザ装置は、
リモート端末と基地局との間でデータを中継するリレー端末として動作するユーザ装置であって、
前記リモート端末に対してデータの送信先であるグループキャストＩＤを送信する送信部と、
前記リモート端末から接続解放要求を受信する受信部と、
前記リモート端末から接続解放要求を受信した場合、前記リモート端末との接続を解放する接続管理部と、
を有することを特徴とする。【００１１】
また、本発明の一形態に係るユーザ装置は、
データを中継する機能を有するリレー端末を介して基地局と通信するリモート端末として動作するユーザ装置であって、
前記リレー端末に加えて別のリレー端末との間にリンクを設定する接続管理部と、
前記リレー端末からデータの送信先であるグループキャストＩＤを受信する受信部と、
グループキャストＩＤに基づいて、データを送信する送信部と、
を有し、
前記送信部は、更に、接続解放要求を前記リレー端末に送信することを特徴とする。【００１２】
また、本発明の一形態に係るユーザ装置は、
リモート端末と基地局との間でデータを中継するリレー端末として動作するユーザ装置であって、
前記リモート端末との接続が設定された場合、前記リモート端末、前記基地局又は別のリレー端末からアドレス情報を受信する受信部と、
受信したアドレス情報に従ってＩＰアドレスを設定するＩＰアドレス設定部と、
を有することを特徴とする。【００１３】
また、本発明の一形態に係るユーザ装置は、
リモート端末と基地局との間でデータを中継するリレー端末として動作するユーザ装置であって、
前記リモート端末が前記基地局と接続されたことを示す接続情報を受信する受信部と、
前記接続情報を受信した場合、前記リモート端末との接続を解放する接続管理部と、
を有することを特徴とする。【００１４】
また、本発明の一形態に係るユーザ装置は、
データを中継する機能を有するリレー端末を介して基地局と通信するリモート端末として動作するユーザ装置であって、
基地局のカバレッジ内に移動した場合、当該基地局と接続する接続管理部と、
前記基地局と接続したことを示す接続情報を前記リレー端末に送信する送信部と、
を有し、
前記接続管理部は、前記基地局と接続したことを示す接続情報を前記リレー端末に送信することにより、前記リレー端末との接続を解放することを特徴とする。【００１５】
また、本発明の一形態に係るユーザ装置は、
基地局と通信するユーザ装置であって、
前記基地局との間のリンクの品質を測定する品質測定部と、
前記基地局との間のリンクの品質が閾値を下回った場合、前記ユーザ装置と前記基地局との間でデータを中継するリレー端末に接続要求を送信する送信部と、
前記リレー端末との接続を設定する接続管理部と、
を有することを特徴とする。
【発明の効果】
【００１６】
本発明によれば、Ｄ２Ｄリレーの通信経路が変化した場合、リモート端末ＵＥと基地局ｅＮＢとの間の接続の安定化を図ることが可能になる。
【図面の簡単な説明】
【００１７】
【図１】本発明の実施例に係る通信システムの概略図
【図２】Ｄ２Ｄリレーのレイヤ構造を示す図
【図３】リモート端末のＩＰアドレス設定手順のシーケンス図（ＩＰｖ４の例）
【図４】リモート端末のＩＰアドレス設定手順のシーケンス図（ＩＰｖ６の例）
【図５】リモート端末が別のリレー端末を選択する手順を示すシーケンス図
【図６】本発明の実施例に係るリレー端末の構成図
【図７】本発明の実施例に係るリモート端末の構成図
【図８】マルチリンクでの通信手順を示すシーケンス図
【図９】ＩＰアドレスを継続利用する手順を示すシーケンス図
【図１０】リモート端末がカバレッジ内に移動したときの手順を示すシーケンス図
【図１１】リモート端末がカバレッジ外に移動したときの手順を示すシーケンス図
【発明を実施するための形態】
【００１８】
以下、本発明の実施例について図面を参照して説明する。
【００１９】
＜通信システムにおける動作の概要＞
図１は、本発明の実施例に係る通信システムの概略図である。本発明の実施例に係る通信システムは、基地局ｅＮＢのカバレッジ（セル）内にユーザ装置ＵＥ１及びＵＥ３が存在するセルラ通信システムである。カバレッジ内のユーザ装置ＵＥ１及びＵＥ３はＤ２Ｄ通信機能を有しており、カバレッジ内の他ユーザ装置との間でＤ２Ｄ通信を行うことが可能である。また、カバレッジ内のユーザ装置ＵＥ１及びＵＥ３はカバレッジ外のユーザ装置ＵＥ２とＤ２Ｄ通信を行うことも可能である。カバレッジ外のユーザ装置ＵＥ２もＤ２Ｄ通信機能を有しており、他ユーザ装置との間でＤ２Ｄ通信を行うことが可能である。更に、カバレッジ内のユーザ装置ＵＥ１及びＵＥ３は基地局ｅＮＢとの間で通常のセルラ通信を行うことが可能である。
【００２０】
カバレッジ内のユーザ装置ＵＥ１及びＵＥ３は、信号中継機能を有するリレー端末であり、リモート端末であるカバレッジ外のユーザ装置ＵＥ２から受信したデータを基地局ｅＮＢに中継することが可能である。また、カバレッジ内のユーザ装置ＵＥ１及びＵＥ３は、基地局ｅＮＢから受信したデータをカバレッジ外のユーザ装置ＵＥ２に中継することも可能である。リモート端末ＵＥ２がリレー端末ＵＥ１を介して基地局ｅＮＢに接続する場合、基地局ｅＮＢとリレー端末ＵＥ１との間のリンクはバックホールリンクと呼ばれ、リレー端末ＵＥ１とリモート端末ＵＥ２との間のリンクはアクセスリンクと呼ばれる。図１では、リモート端末ＵＥ２は基地局ｅＮＢのカバレッジ外に存在しているが、リモート端末ＵＥ２は基地局ｅＮＢのカバレッジ内に存在してもよい。例えば、基地局ｅＮＢのカバレッジ外で基地局ｅＮＢの同期信号・報知情報が受信できない場合や、同期ソースとしてユーザ装置が送信する同期信号を用いている場合、あるいはＲＲＣ接続が完了できないなどの理由でネットワークへ接続できない場合には、ユーザ装置ＵＥ２は、基地局ｅＮＢのカバレッジ内外において、リモート端末として基地局ｅＮＢと通信することができる。
【００２１】
図２は、Ｄ２Ｄリレーのレイヤ構造を示す図である。
【００２２】
Ｄ２Ｄリレーは、ＩＰレイヤ上で実現されることが想定される。具体的には、Ｄ２Ｄリレーの実現のために、リモート端末ＵＥ２は、リレー端末ＵＥ１からアドレス情報を受信してＩＰアドレスを設定する。例えば、ＩＰｖ４が用いられる場合、リモート端末ＵＥ２は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）によって割り当てられたＩＰアドレスを受信し、ＩＰアドレスを設定する。例えば、ＩＰｖ６が用いられる場合、リモート端末ＵＥ２は、ＲＳ（Ｒｏｕｔｅｒ  Ｓｏｌｉｃｉｔａｔｉｏｎ）をリレー端末ＵＥ１に送信し、リレー端末ＵＥ１からＲＡ（Ｒｏｕｔｅｒ  Ａｄｖｅｒｔｉｓｅｍｅｎｔ）と呼ばれるプレフィックス情報を受信する。リモート端末ＵＥ２は、受信したプレフィックス情報に基づいてＩＰアドレスを設定する。このように、リモート端末ＵＥ２は、リレー端末ＵＥ１からＩＰアドレスの設定のためのアドレス情報（ＤＨＣＰによって割り当てられたＩＰアドレス又はＲＡと呼ばれるプレフィックス情報）を受信し、ＩＰアドレスを設定して、ＩＰレイヤ上でＩＰパケットをリレー端末ＵＥ１に送信する。ＩＰパケットはＧＴＰ（ＧＰＲＳ  Ｔｕｎｎｅｌｉｎｇ  Ｐｒｏｔｏｃｏｌ）によってカプセル化され、コアネットワーク（Ｓｅｒｖｉｎｇ  ＧＷ、ＰＤＮ  ＧＷ）に送信される。
【００２３】
図３及び図４を参照して、リモート端末ＵＥ２のＩＰアドレス設定手順について更に説明する。リモート端末ＵＥ２が初めにリレー端末ＵＥ１と接続するときのＩＰアドレス設定手順について説明する。
【００２４】
事前にリレー端末ＵＥ１はネットワーク接続を完了しているものとする。まず、リモート端末ＵＥ２は、リレー端末ＵＥ１を発見する必要がある。リレー端末ＵＥ１が自端末の存在をリモート端末ＵＥ２に通知する場合（Ｍｏｄｅｌ  Ａ）と、リモート端末ＵＥ２が周辺に存在するリレー端末ＵＥ１を検出する場合（Ｍｏｄｅｌ  Ｂ）が存在する。いずれの場合でも、リモート端末ＵＥ２は、周辺のリレー端末ＵＥ１を発見し、リレー端末ＵＥ１を選択する。
【００２５】
ＩＰｖ４が用いられる場合、図３に示すように、リモート端末ＵＥ２は、リレー端末ＵＥ１にＤＨＣＰ  Ｄｉｓｃｏｖｅｒｙを送信し、ＩＰアドレスの候補が含まれるＤＰＣＨ  Ｏｆｆｅｒを受信する。そして、リモート端末ＵＥ２は、ＩＰアドレスの候補を正式に取得するために、ＤＨＣＰ  Ｒｅｑｕｅｓｔを送信し、その応答であるＤＨＣＰ  ＡＣＫを受信し、ＩＰアドレスを設定する。
【００２６】
ＩＰｖ６が用いられる場合、図４に示すように、リモート端末ＵＥ２は、リレー端末ＵＥ１にＲＳを送信し、ＩＰアドレスを設定するためのプレフィックス情報を要求する。リモート端末ＵＥ２は、プレフィックス情報を含むＲＡを受信し、自端末のＭＡＣアドレスと組み合わせてＩＰアドレスを設定する。
【００２７】
このようにＩＰアドレスを設定することにより、リモート端末ＵＥ２は、リレー端末ＵＥ１を介して基地局ｅＮＢに接続する。
【００２８】
一方、リモート端末ＵＥ２と基地局ｅＮＢとの間の通信品質は、アクセスリンクの通信品質と、バックホールリンクの通信リンクとに依存する。通信品質の変化によってリレー端末ＵＥ１がＤ２Ｄリレーに適さなくなった場合、リモート端末ＵＥ２は、カバレッジ内の別のリレー端末ＵＥ３を選択する必要がある。
【００２９】
リモート端末ＵＥ２が別のリレー端末ＵＥ３と接続する際に、図３又は図４を参照して説明したＩＰアドレス設定手順が実施された場合、ネットワーク接続が切断される可能性がある。すなわち、リモート端末ＵＥ２がリレー端末ＵＥ１との接続を解放し、その後、別のリレー端末ＵＥ３とＩＰアドレスが設定されるまでの期間は、ネットワーク接続が切断される。本発明の実施例では、このような切断を回避してリモート端末ＵＥ２と基地局ｅＮＢとの間の接続の安定化を図るため、以下の内容について説明する。
【００３０】
（１）元のリレー端末ＵＥ１との接続中における別のリレー端末ＵＥ３の選択
（２）元のリレー端末ＵＥ１と別のリレー端末ＵＥ３との双方によるマルチリンクの設定
（３）元のリレー端末ＵＥ１との通信に用いられるＩＰアドレスの継続利用
また、リモート端末ＵＥ２は、基地局ｅＮＢのカバレッジ内に移動した場合、リレー端末ＵＥ１を経由することなく、基地局ｅＮＢと通信することが可能になる。更に、カバレッジ内のユーザ装置が基地局ｅＮＢのカバレッジ外に移動する場合、そのユーザ装置は、リモート端末ＵＥ２としてリレー端末ＵＥ１又はＵＥ３に接続する必要がある。このような場合にも、ネットワーク接続が切断される可能性がある。本発明の実施例では、このような切断を回避してリモート端末ＵＥ２と基地局ｅＮＢとの間の接続の安定化を図るため、以下の内容について説明する。
【００３１】
（４）リレー端末がカバレッジ内に移動したときの基地局ｅＮＢとの接続
（５）ユーザ装置がカバレッジ外に移動するときのリレー端末ＵＥ１又はＵＥ３との接続
それぞれの具体的な手順について以下に説明する。
【００３２】
（１）元のリレー端末ＵＥ１との接続中における別のリレー端末ＵＥ３の選択
リモート端末ＵＥ２は、例えば、リレー端末ＵＥ１との通信中にリレー端末ＵＥ１からの品質劣化の通知を受信した場合、別のリレー端末ＵＥ３を選択し、リレー端末ＵＥ１からリレー端末ＵＥ３へのリレー端末の変更要求をリレー端末ＵＥ１及びＵＥ３に送信する。このように、リレー端末ＵＥ１がＤ２Ｄリレーに適さなくなった場合、リモート端末ＵＥ２は別のリレー端末ＵＥ３を選択することにより、リモート端末ＵＥ２と基地局ｅＮＢとの間の接続の安定が図られる。
【００３３】
図５は、リモート端末ＵＥ２が別のリレー端末ＵＥ３を選択する手順を示すシーケンス図である。
【００３４】
リレー端末ＵＥ１は、バックホールリンクの品質を測定し、バックホールリンクの品質が劣化した場合、品質劣化をリモート端末ＵＥ２に通知してもよい（Ｓ１０１）。リレー端末ＵＥ１は、アクセスリンクの品質を測定し、アクセスリンクの品質が劣化した場合にも、品質劣化をリモート端末ＵＥ２に通知してもよい。
【００３５】
リモート端末ＵＥ２は、リレー端末ＵＥ１から品質劣化が通知された場合、別のリレー端末ＵＥ３を選択し、リレー端末の変更要求を元のリレー端末ＵＥ１と別のリレー端末ＵＥ３に送信する（Ｓ１０３、Ｓ１０５）。元のリレー端末ＵＥ１または別のリレー端末ＵＥ３が基地局ｅＮＢにリレー端末の変更要求があったことを報告し、コアネットワーク上で一定期間、リレー端末ＵＥ１及びＵＥ３とリモート端末ＵＥ２との２重接続を許容してもよい。なお、別のリレー端末ＵＥ３の選択は、周期的に行われてもよい。例えば、リモート端末ＵＥ２は、品質測定のためのＤ２Ｄ信号を周期的に送信し、リレー端末ＵＥ１及び別のリレー端末ＵＥ３による品質測定やリレー端末ＵＥ１によるリレー接続維持確認を可能にしてもよい。リレー端末ＵＥ１よりも別のリレー端末ＵＥ３の品質が向上した場合、リレー端末ＵＥ１が品質劣化をリモート端末ＵＥ２に通知することで、周期的に別のリレー端末ＵＥ３の選択が可能になる。
【００３６】
なお、図５では、リレー端末ＵＥ１からの品質劣化の通知によって、リモート端末ＵＥ２がリレー端末の変更要求を送信する例を示しているが、例えば、通信すべきデータが存在しない等の理由で、リモート端末ＵＥ２自身の判断又は基地局ｅＮＢの判断により、リレー端末の変更要求を送信してもよい。
【００３７】
別のリレー端末ＵＥ３がリレー端末の変更要求を受信すると、変更要求に対する応答をリモート端末ＵＥ２に送信し（Ｓ１０７）、別のリレー端末ＵＥ３とリモート端末ＵＥ２との間に接続が確立される（Ｓ１０９）。
【００３８】
また、元のリレー端末ＵＥ１がリレー端末の変更要求を受信すると、変更要求に対する応答をリモート端末ＵＥ２に送信し（Ｓ１１１）、元のリレー端末ＵＥ１とリモート端末ＵＥ２との間の接続が解放される（Ｓ１１３）。変更要求に対する応答が受信できない場合も、リレー端末の変更要求の送受信から一定時間（元のリレー端末ＵＥ１から設定された時間または予め設定された時間）の経過後に元のリレー端末ＵＥ１およびリモート端末ＵＥ２が自律的に接続を解放してもよい。この動作を応用して、リレー端末の変更要求に対する応答を省略してもよい。
【００３９】
図５では、リレー端末の変更要求に対して、それぞれ元のリレー端末ＵＥ１及び別のリレー端末ＵＥ３が変更要求に対する応答を送信しているが、リレー端末の変更要求は、それぞれ元のリレー端末ＵＥ１及び別のリレー端末ＵＥ３から基地局ｅＮＢに送信され、基地局ｅＮＢの判断によって、変更要求に対する応答が基地局ｅＮＢからリレー端末ＵＥ１及びＵＥ３を介してリモート端末ＵＥ２に送信されてもよい。
【００４０】
なお、別のリレー端末ＵＥ３との接続（Ｓ１０９）と、元のリレー端末ＵＥ１との接続の解放（Ｓ１１３）は、図５とは異なる順序で実行されてもよい。ただし、リモート端末ＵＥ２と基地局ｅＮＢとの間の接続の安定化を図る観点から、以下に説明するように、別のリレー端末ＵＥ３との接続が行われた（Ｓ１０９）後に、元のリレー端末ＵＥ１との接続が解放される（Ｓ１１３）方が望ましい。
【００４１】
図６は、本発明の実施例に係るリレー端末の構成図である。リレー端末１００は、信号送信部１０１、信号受信部１０２、Ｄ２Ｄ通信機能部１０３、中継部１０４、品質測定部１０５、接続管理部１０６を含む。なお、図６は、リレー端末１００において本発明の実施の形態に特に関連する機能部のみを示すものであり、少なくともＬＴＥ等に準拠した動作を行うための図示しない機能も有するものである。また、図６に示す機能構成は一例に過ぎない。本実施の形態に係る動作を実行できるのであれば、機能区分や機能部の名称はどのようなものでもよい。
【００４２】
リレー端末１００は、ＣＰＵ（Ｃｅｎｔｒａｌ  Ｐｒｏｃｅｓｓｉｎｇ  Ｕｎｉｔ）等のプロセッサ、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスク等の記憶装置等から構成された情報通信端末でもよい。例えば、リレー端末１００の各機能等は、プロセッサと記憶装置又はメモリ装置とによって構成され、記憶装置又はメモリ装置に記憶されているデータやプログラムをプロセッサが実行することによって実現されてもよい。
【００４３】
信号送信部１０１は、リレー端末１００から送信されるべき上位のレイヤの信号から、物理レイヤの各種信号を生成し、無線送信する機能を含む。また、信号送信部１０１は、Ｄ２Ｄ通信の送信機能とセルラ通信の送信機能を有する。
【００４４】
信号受信部１０２は、他のユーザ装置ＵＥ又は基地局ｅＮＢから各種の信号を無線受信し、受信した物理レイヤの信号からより上位のレイヤの信号を取得する機能を含む。信号受信部１０２は、Ｄ２Ｄ通信の受信機能とセルラ通信の受信機能を有する。
【００４５】
Ｄ２Ｄ通信機能部１０３は、Ｄ２Ｄアプリケーションの機能を含み、Ｄｉｓｃｏｖｅｒｙ信号のリソース割り当てや送受信制御、ＳＣＩ（Ｓｉｄｅｌｉｎｋ  Ｃｏｎｔｒｏｌ  Ｉｎｆｏｒｍａｔｉｏｎ）／データのリソース割り当てや送受信制御等を実行する。
【００４６】
中継部１０４は、Ｄ２Ｄリレーを実現する機能を含む。具体的には、中継部１０４は、信号受信部１０２においてリモート端末ＵＥ２から受信したデータが基地局ｅＮＢ宛のデータである場合、信号送信部１０１から基地局ｅＮＢに当該データを送信する。また、中継部１０４は、信号受信部１０２において基地局ｅＮＢから受信したデータがリモート端末ＵＥ２宛のデータである場合、信号送信部１０１からリモート端末ＵＥ２に当該データを送信する。
【００４７】
品質測定部１０５は、バックホールリンク又はアクセスリンクの品質を測定する。測定した品質が閾値を下回った場合、信号送信部１０１から品質劣化をリモート端末ＵＥ２又は基地局ｅＮＢに送信してもよい。
【００４８】
接続管理部１０６は、リモート端末ＵＥ２との接続を管理する。接続管理部１０６は、リモート端末ＵＥ２からの接続要求又はリレー端末の変更要求（別のリレー端末ＵＥ３から当該リレー端末１００に接続を変更する場合）により、リモート端末ＵＥ２との間にアクセスリンクを確立する。また、接続管理部１０６は、リモート端末ＵＥ２からの接続解放要求又はリレー端末の変更要求（当該リレー端末１００から別のリレー端末ＵＥ３に接続を変更する場合）により、リモート端末ＵＥ２との接続を解放する。また、接続管理部１０６は、接続解放要求又はリレー端末の変更要求に応答せずに、接続解放要求又はリレー端末の変更要求の受信から一定時間の経過後に、リモート端末ＵＥ２との接続を解放してもよい。
【００４９】
図７は、本発明の実施例に係るリモート端末の構成図である。リモート端末２００は、信号送信部２０１、信号受信部２０２、Ｄ２Ｄ通信機能部２０３、リレー端末選択部２０４、接続管理部２０５を含む。なお、図７は、リモート端末２００において本発明の実施の形態に特に関連する機能部のみを示すものであり、少なくともＬＴＥ等に準拠した動作を行うための図示しない機能も有するものである。また、図７に示す機能構成は一例に過ぎない。本実施の形態に係る動作を実行できるのであれば、機能区分や機能部の名称はどのようなものでもよい。
【００５０】
リモート端末２００は、ＣＰＵ（Ｃｅｎｔｒａｌ  Ｐｒｏｃｅｓｓｉｎｇ  Ｕｎｉｔ）等のプロセッサ、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスク等の記憶装置等から構成された情報通信端末でもよい。例えば、リモート端末２００の各機能等は、プロセッサと記憶装置又はメモリ装置とによって構成され、記憶装置又はメモリ装置に記憶されているデータやプログラムをプロセッサが実行することによって実現されてもよい。
【００５１】
信号送信部２０１は、リモート端末２００から送信されるべき上位のレイヤの信号から、物理レイヤの各種信号を生成し、無線送信する機能を含む。また、信号送信部２０１は、Ｄ２Ｄ通信の送信機能とセルラ通信の送信機能を有する。
【００５２】
信号受信部２０２は、他のユーザ装置ＵＥ又は基地局ｅＮＢから各種の信号を無線受信し、受信した物理レイヤの信号からより上位のレイヤの信号を取得する機能を含む。信号受信部２０２は、Ｄ２Ｄ通信の受信機能とセルラ通信の受信機能を有する。
【００５３】
Ｄ２Ｄ通信機能部２０３は、Ｄ２Ｄアプリケーションの機能を含み、Ｄｉｓｃｏｖｅｒｙ信号のリソース割り当てや送受信制御、ＳＣＩ／データのリソース割り当てや送受信制御等を実行する。
【００５４】
リレー端末選択部２０４は、例えば、周辺のリレー端末からＤ２Ｄリレーが可能であるという情報、品質に関する情報等を受信することで、リレー端末の候補を管理し、Ｄ２Ｄリレーに適したリレー端末を選択する。
【００５５】
接続管理部２０５は、リレー端末ＵＥ１及びＵＥ３との接続を管理する。接続管理部２０５は、接続要求又はリレー端末の変更要求（接続中のリレー端末ＵＥ１から別のリレー端末ＵＥ３に接続を変更する場合）に対してリレー端末ＵＥ３から応答を受信した場合、リレー端末ＵＥ３との間にアクセスリンクを確立する。また、接続管理部２０５は、接続解放要求又はリレー端末の変更要求（接続中のリレー端末ＵＥ１から別のリレー端末ＵＥ３に接続を変更する場合）に対してリレー端末ＵＥ１から応答を受信した場合、リレー端末ＵＥ１との接続を解放する。また、接続管理部２０５は、接続解放要求又はリレー端末の変更要求に対する応答を受信していなくても、リレー端末の変更要求の送信から一定時間の経過後に、リレー端末ＵＥ１との接続を解放してもよい。
【００５６】
このように、リモート端末ＵＥ２がＤ２Ｄリレーに適したリレー端末ＵＥ１又はＵＥ３を選択することにより、Ｄ２Ｄリレーのリンク障害が回避でき、リモート端末ＵＥ２と基地局ｅＮＢとの間の接続の安定が図られる。更に、別のリレー端末ＵＥ３の選択を周期的に行うことで、別のリレー端末ＵＥ３を選択する際の遅延を低減することができる。
【００５７】
（２）元のリレー端末ＵＥ１と別のリレー端末ＵＥ３との双方によるマルチリンクの設定
リモート端末ＵＥ２が別のリレー端末ＵＥ３を選択した場合であっても、元のリレー端末ＵＥ１は、Ｄ２Ｄリレーを継続することにより、元のリレー端末ＵＥ１と別のリレー端末ＵＥ３との双方を用いたマルチリンクの設定を可能にする。マルチリンクの設定により、リモート端末ＵＥ２と基地局ｅＮＢとの間の接続性を維持することが可能になる。
【００５８】
図８は、マルチリンクでの通信手順を示すシーケンス図である。
【００５９】
図８のシーケンスの前に、図５のステップＳ１０３〜Ｓ１０９を参照して説明した通り、リモート端末ＵＥ２が別のリレー端末ＵＥ３を選択し、別のリレー端末ＵＥ３との間に接続が確立されているものとする。すなわち、リモート端末ＵＥ２は、リレー端末ＵＥ１を介して基地局ｅＮＢと接続すると共に、リレー端末ＵＥ３を介して基地局ｅＮＢと接続する。
【００６０】
このようなマルチリンクでの通信を実現するため、リレー端末ＵＥ１は、リモート端末ＵＥ２に対してデータの送信先であるグループキャストＩＤを送信する（Ｓ２０１）。
【００６１】
更に、リレー端末ＵＥ１は、別のリレー端末ＵＥ３に対して、Ｄ２Ｄリレーのためのコンフィギュレーション情報（グループキャストＩＤ、リモート端末ＵＥ２のレイヤ２／レイヤ３のアドレス情報、Ｄ２Ｄ通信のリソース情報等）を送信する（Ｓ２０３）。なお、Ｄ２Ｄリレーのためのコンフィギュレーション情報は、基地局ｅＮＢ又はリモート端末ＵＥ２から別のリレー端末ＵＥ３に送信されてもよい。
【００６２】
リモート端末ＵＥ２は、リレー端末ＵＥ１から通知されたグループキャストＩＤに従って、リレー端末ＵＥ１及びＵＥ３に対してデータをグループキャスト送信する（Ｓ２０５）。リレー端末ＵＥ１及びＵＥ３は、それぞれ受信したデータを基地局ｅＮＢに送信する（Ｓ２０７、Ｓ２０９）。基地局ｅＮＢは、重複したデータを受信した場合、いずれかを破棄してもよい。
【００６３】
リレー端末ＵＥ３が基地局ｅＮＢからリモート端末ＵＥ２宛のデータを受信した場合（Ｓ２１１）、リレー端末ＵＥ３は、受信したデータをリモート端末ＵＥ２に送信する（Ｓ２１３）。この場合には、ユニキャストが用いられる。
【００６４】
同様に、リレー端末ＵＥ１が基地局ｅＮＢからリモート端末ＵＥ２宛のデータを受信した場合（Ｓ２１５）、リレー端末ＵＥ１は、受信したデータをリモート端末ＵＥ２に送信する（Ｓ２１７）。この場合にも、ユニキャストが用いられる。リモート端末ＵＥ２は、重複したデータを受信した場合、いずれかを破棄してもよい。
【００６５】
例えば、リモート端末ＵＥ２からの接続解放要求により（Ｓ２１９）、リレー端末ＵＥ１はＤ２Ｄリレーを中断し、リレー端末ＵＥ１とリモート端末ＵＥ２との間の接続が解放される（Ｓ２２１）。接続解放要求は、Ｄ２Ｄリレーを終了させるためのシグナリングであり、例えば、ＩＰアドレスの解放要求でもよい。なお、接続解放要求は、基地局ｅＮＢからリレー端末ＵＥ１に通知されてもよい。また、図５のステップＳ１１１〜Ｓ１１３のように、リレー端末ＵＥ１がリモート端末ＵＥ２からの変更要求に応答した場合、又は変更要求から一定期間が経過した場合、リレー端末ＵＥ１とリモート端末ＵＥ２との間の接続が解放されてもよい。
【００６６】
リレー端末ＵＥ１とリモート端末ＵＥ２との間の接続が解放された後、基地局とリモート端末ＵＥ２との間の通信は、リレー端末ＵＥ３を介して行われる（Ｓ２２３、Ｓ２２５）。
【００６７】
なお、リモート端末ＵＥ２と別のリレー端末ＵＥ３とのマルチリンクの設定に失敗した場合、リモート端末ＵＥ２は、リレー端末ＵＥ１に接続解放要求を送信せずに、リレー端末ＵＥ１を介して基地局ｅＮＢと通信してもよい。
【００６８】
当該実施例に係るリレー端末ＵＥ１及びＵＥ３は、図６と同様に構成される。特にリレー端末ＵＥ１に関して、マルチリンクでの通信の実現のためにＤ２Ｄ通信機能部１０３、中継部１０４及び接続管理部１０６は以下のように構成される。
【００６９】
Ｄ２Ｄ通信機能部１０３は、信号送信部１０１からグループキャストＩＤをリモート端末ＵＥ２に送信する。また、Ｄ２Ｄ通信機能部１０３は、信号送信部１０１からＤ２Ｄリレーのためのコンフィギュレーション情報を別のリレー端末ＵＥ３に送信してもよい。
【００７０】
中継部１０４は、グループキャストＩＤに基づいて、リモート端末ＵＥ２から受信したデータが基地局ｅＮＢ宛のデータであると判断した場合、信号送信部１０１から基地局ｅＮＢに当該データを送信する。
【００７１】
接続管理部１０６は、リモート端末ＵＥ２からの接続解放要求又はリレー端末の変更要求（当該リレー端末１００から別のリレー端末ＵＥ３に接続を変更する場合）により、リモート端末ＵＥ２との接続を解放する。また、接続管理部１０６は、接続解放要求又はリレー端末の変更要求に応答せずに、接続解放要求又はリレー端末の変更要求の受信から一定時間の経過後に、リモート端末ＵＥ２との接続を解放してもよい。すなわち、リモート端末ＵＥ２との接続はリモート端末ＵＥ２からの要求があるまで維持されるため、リモート端末ＵＥ２と別のリレー端末ＵＥ３との接続が完了している場合にはマルチリンクでの通信が実現される。
【００７２】
当該実施例に係るリモート端末ＵＥ２は、図７と同様に構成される。
【００７３】
当該実施例では、Ｄ２Ｄ通信機能部２０３は、リレー端末ＵＥ１から受信したグループキャストＩＤに従って、信号送信部１０１からデータをリレー端末ＵＥ１及びＵＥ３に送信する。また、Ｄ２Ｄ通信機能部２０３は、信号受信部２０２で重複したデータを受信した場合、いずれかを破棄してもよい。
【００７４】
接続管理部２０５は、接続解放要求又はリレー端末の変更要求（接続中のリレー端末ＵＥ１から別のリレー端末ＵＥ３に接続を変更する場合）に対してリレー端末ＵＥ１から応答を受信するまでリレー端末ＵＥ１との接続を維持し、リレー端末ＵＥ１から応答を受信した場合、リレー端末ＵＥ１との接続を解放する。また、接続管理部２０５は、接続解放要求又はリレー端末の変更要求に対する応答を受信していなくても、リレー端末の変更要求の送信から一定時間の経過後に、リレー端末ＵＥ１との接続を解放してもよい。すなわち、リレー端末ＵＥ１との接続はリレー端末ＵＥ１への要求を行うまで維持されるため、リモート端末２００と別のリレー端末ＵＥ３との接続が完了している場合にはマルチリンクでの通信が実現される。
【００７５】
このように、マルチリンクを設定し、リモート端末ＵＥ２からリレー端末ＵＥ１及びＵＥ３にデータをグループキャストで送信することにより、リモート端末ＵＥ２と基地局ｅＮＢとの間の接続性を維持することが可能になる。
【００７６】
（３）元のリレー端末ＵＥ１との間の通信に用いられるＩＰアドレスの継続利用
リモート端末ＵＥ２は、別のリレー端末ＵＥ３に接続した場合であっても、元のリレー端末ＵＥ１との通信に用いられるＩＰアドレスを継続して利用する。ＩＰアドレスを継続して利用することにより、リレー端末ＵＥ３とリモート端末ＵＥ２との間のＩＰアドレス設定手順が簡略化され、リモート端末ＵＥ２と基地局ｅＮＢとの間のＩＰレイヤ上の接続性を維持することが可能になる。
【００７７】
図９は、ＩＰアドレスを継続利用する手順を示すシーケンス図である。
【００７８】
図９のシーケンスの前に、図５のステップＳ１０３〜Ｓ１０９を参照して説明した通り、リモート端末ＵＥ２が別のリレー端末ＵＥ３を選択し、別のリレー端末ＵＥ３との間に接続が確立されているものとする。すなわち、リモート端末ＵＥ２は、リレー端末ＵＥ１を介して基地局ｅＮＢと接続すると共に、リレー端末ＵＥ３を介して基地局ｅＮＢと接続する。
【００７９】
ＩＰレイヤ上の接続性を維持するため、リモート端末ＵＥ２は、別のリレー端末ＵＥ３にＩＰアドレスを設定するためのアドレス情報を送信する（Ｓ３０１）。例えば、アドレス情報は、ＩＰｖ４の場合にはリモート端末ＵＥ２のＩＰアドレスであり、ＩＰｖ６の場合にはＩＰｖ６アドレスを設定するためのプレフィックス情報である。アドレス情報には、リモート端末ＵＥ２のレイヤ２のＩＤが含まれてもよく、有効期限が含まれてもよい。アドレス情報に含まれる有効期限は、リモート端末ＵＥ２がＩＰアドレスを使い続ける期限が設定される。リレー端末ＵＥ３は、リモート端末ＵＥ２から受信したアドレス情報に従って、リモート端末ＵＥ２のＩＰアドレスを設定する。なお、リモート端末ＵＥ２のアドレス情報は、元のリレー端末ＵＥ１又は基地局ｅＮＢからリレー端末ＵＥ３に送信されてもよい。
【００８０】
例えば、リモート端末ＵＥ２からの接続解放要求により（Ｓ３０３）、リレー端末ＵＥ１はＤ２Ｄリレーを中断し、リレー端末ＵＥ１とリモート端末ＵＥ２との間の接続が解放される（Ｓ３０５）。接続解放要求は、Ｄ２Ｄリレーを終了させるためのシグナリングであり、例えば、ＩＰアドレスの解放要求でもよい。ただし、ＩＰレイヤ上の接続性を維持するため、ＩＰアドレスの解放要求は、単なるＤ２Ｄリレーの中断要求とみなされ、当該実施例ではＩＰアドレスは解放されない。なお、接続解放要求は、基地局ｅＮＢからリレー端末ＵＥ１に通知されてもよい。また、図５のステップＳ１１１〜Ｓ１１３のように、リレー端末ＵＥ１がリモート端末ＵＥ２からの変更要求に応答したときに、リレー端末ＵＥ１とリモート端末ＵＥ２との間の接続が解放されてもよい。
【００８１】
リモート端末ＵＥ２は、リレー端末ＵＥ１との接続の解放の後であっても、リレー端末ＵＥ１との間で設定したＩＰアドレスに従って、リレー端末ＵＥ３に対してデータを送信する（Ｓ３０７）。リレー端末ＵＥ３は、受信したデータを基地局ｅＮＢに送信する（Ｓ３０９）。
【００８２】
リレー端末ＵＥ３が基地局ｅＮＢからリモート端末ＵＥ２宛のデータを受信した場合（Ｓ３１１）、リレー端末ＵＥ３は、設定したＩＰアドレスに従って、受信したデータをリモート端末ＵＥ２に送信する（Ｓ３１３）。
【００８３】
なお、ＩＰアドレスの設定に失敗した場合、又は、アドレス情報に含まれる有効期限になってもＩＰレイヤでの接続が確立されていない場合、リモート端末ＵＥ２とリレー端末ＵＥ３との間で、図３に示すようなＤＨＣＰによるＩＰアドレスの設定又は図４に示すようなＲＳ／ＲＡによるＩＰアドレスの設定が行われてもよい。この場合、リモート端末ＵＥ２は、それぞれリレー端末ＵＥ１及びＵＥ３との間に設定された別のＩＰアドレスを有してもよい。
【００８４】
当該実施例に係るリレー端末ＵＥ１及びＵＥ３は、図６と同様に構成される。特にリレー端末ＵＥ３におけるリモート端末ＵＥ２のＩＰアドレスの設定に関して、接続管理部１０６は以下のように構成される。
【００８５】
接続管理部１０６は、リモート端末ＵＥ２から受信したアドレス情報に従って、リモート端末ＵＥ２のＩＰアドレスを設定する。接続管理部１０６は、リモート端末ＵＥ２のＩＰアドレスを設定するために、図３に示すようなＤＨＣＰによるＩＰアドレスの設定を行う必要はなく、また、図４に示すようなＲＳ／ＲＡによるＩＰアドレスの設定を行う必要もない。ただし、ＩＰアドレスの設定に失敗した場合、又は、アドレス情報に含まれる有効期限になってもＩＰレイヤでの接続が確立されていない場合、接続管理部１０６は、ＤＨＣＰによるＩＰアドレスの設定又はＲＳ／ＲＡによるＩＰアドレスの設定を行う。
【００８６】
当該実施例に係るリモート端末ＵＥ２は、図７と同様に構成される。
【００８７】
当該実施例では、接続管理部２０５は、接続解放要求又はリレー端末の変更要求（接続中のリレー端末ＵＥ１から別のリレー端末ＵＥ３に接続を変更する場合）に対してリレー端末ＵＥ１から応答を受信してリレー端末ＵＥ１との接続を解放しても、リレー端末ＵＥ１との間に設定されたＩＰアドレスを利用し続ける。ただし、リレー端末ＵＥ３とのＩＰアドレスの設定に失敗した場合、又は、アドレス情報に含まれる有効期限になってもＩＰレイヤでの接続が確立されていない場合、接続管理部２０５は、ＤＨＣＰによるＩＰアドレスの設定又はＲＳ／ＲＡによるＩＰアドレスの設定を行う。
【００８８】
このように、ＩＰアドレスを継続して利用することにより、リモート端末ＵＥ２はリレー端末ＵＥ３との間でＤＨＣＰによるＩＰアドレスの設定又はＲＳ／ＲＡによるＩＰアドレスの設定を行う必要がなく、リモート端末ＵＥ２と基地局ｅＮＢとの間のＩＰレイヤ上の接続性を維持することが可能になる。
【００８９】
（４）リレー端末がカバレッジ内に移動したときの基地局ｅＮＢとの接続
リモート端末ＵＥ２が基地局ｅＮＢのカバレッジ内に移動した場合、リモート端末ＵＥ２は、リレー端末ＵＥ１を経由することなく、基地局ｅＮＢと通信することが可能になる。このとき、リモート端末ＵＥ２と基地局ｅＮＢとの接続が確立されるまでリレー端末ＵＥ１との接続を維持することにより、リモート端末ＵＥ２と基地局ｅＮＢとの間の接続の安定が図られる。
【００９０】
図１０は、リモート端末ＵＥ２が基地局ｅＮＢのカバレッジ内に移動したときの手順を示すシーケンス図である。
【００９１】
リモート端末ＵＥ２がリレー端末ＵＥ１と通信している間に基地局ｅＮＢのカバレッジ内に移動した場合、リモート端末ＵＥ２は、基地局ｅＮＢと接続を確立する（Ｓ４０１）。
【００９２】
リモート端末ＵＥ２が基地局ｅＮＢと接続を確立した場合、リモート端末ＵＥ２は、リレー端末ＵＥ１に接続解放要求を送信し（Ｓ４０３）、リモート端末ＵＥ２とリレー端末ＵＥ１との間の接続が解放される。なお、接続解放要求は、基地局ｅＮＢからリレー端末ＵＥ１に送信されてもよい。このように、リモート端末ＵＥ２と基地局ｅＮＢとの接続が確立されるまで（ＲＲＣ＿ＣＯＮＮＥＣＴＥＤ）になるまで、リモート端末ＵＥ２とリレー端末ＵＥ１との接続が維持される。
【００９３】
その後、ユーザ装置ＵＥ２は、基地局ｅＮＢとの間で直接にデータを送受信する（Ｓ４０７、Ｓ４０９）。
【００９４】
当該実施例に係るリレー端末ＵＥ１は、図６と同様に構成される。
【００９５】
当該実施例では、接続管理部１０６は、リモート端末ＵＥ２又は基地局ｅＮＢからの接続解放要求により、すなわち、リモート端末ＵＥ２が基地局ｅＮＢに接続されたことを示す接続情報を受信した場合、リモート端末ＵＥ２との接続を解放する。
【００９６】
当該実施例に係るリモート端末ＵＥ２は、図７と同様に構成される。
【００９７】
当該実施例では、接続管理部２０５は、基地局ｅＮＢのカバレッジ内に移動した場合、基地局ｅＮＢと接続を確立し、その後、基地局ｅＮＢと接続したことを示す接続情報をリレー端末ＵＥ１に送信することにより、リレー端末ＵＥ１との接続を解放する。
【００９８】
このように、リモート端末ＵＥ２と基地局ｅＮＢとの接続が確立されるまでリレー端末ＵＥ１との接続を維持することにより、リモート端末ＵＥ２と基地局ｅＮＢとの間の接続の安定が図られる。
【００９９】
（５）ユーザ装置がカバレッジ外に移動するときのリレー端末ＵＥ１又はＵＥ３との接続
ユーザ装置ＵＥ２が基地局ｅＮＢのカバレッジ外に移動する場合、ユーザ装置ＵＥ２は、例えば基地局ｅＮＢのカバレッジ内のリレー端末ＵＥ１を経由することで、リモート端末ＵＥ２として基地局ｅＮＢと通信することが可能になる。
【０１００】
図１１は、リモート端末ＵＥ２が基地局ｅＮＢのカバレッジ内に移動したときの手順を示すシーケンス図である。
【０１０１】
例えば、ユーザ装置ＵＥ２は、基地局との間のリンクの品質を測定し、測定したリンクの品質が劣化した場合、周辺のリレー端末ＵＥ１を検出し、検出したリレー端末ＵＥ１に接続要求を送信する（Ｓ５０１）。
【０１０２】
ユーザ装置ＵＥ２がリモート端末としてリレー端末ＵＥ１に接続すると（Ｓ５０３）、ユーザ装置ＵＥ２は、基地局ｅＮＢとの接続を解放する（Ｓ５０５）。
【０１０３】
その後、リモート端末ＵＥ２は、リレー端末ＵＥ１を経由して基地局ｅＮＢとの間でデータを送受信する（Ｓ５０７〜Ｓ５１３）。
【０１０４】
図１１のシーケンスを実行した場合、端末の接続維持は可能になる一方でカバレッジ内での端末間通信による干渉が増加する。そのため、干渉を低減するためにユーザ装置ＵＥ２が基地局ｅＮＢのカバレッジ外に移動する場合、ステップＳ５０１〜Ｓ５１３の一部だけを基地局ｅＮＢとの接続がある状態で行い、基地局ｅＮＢと切断してから残りのプロシージャを実施するとしてもよい。例えば、リレー端末からのＩＰアドレスの払い出しまでを予め実行するなどが考えられる。
【０１０５】
リモート端末は基地局ｅＮＢからの同期信号や報知を受信することが可能であるため、基地局ｅＮＢから通知されるＤ２Ｄ構成情報（リソースプールなど）を用いてＤ２Ｄ通信を行なってもよい。リレー端末からのＤ２Ｄ構成情報取得の省略による接続遅延削減や事前設定されたカバレッジ外通信用のＤ２Ｄ構成情報利用に伴う干渉増加を回避することができる。
【０１０６】
当該実施例に係るリモート端末ＵＥ２は、図７と同様に構成される。また、リモート端末ＵＥ２は、基地局ｅＮＢとの間のリンクの品質を測定する品質測定部（図示せず）を有してもよい。基地局ｅＮＢとの間のリンクの品質は、ＲＳＲＰ（Ｒｅｆｅｒｅｎｃｅ  Ｓｉｇｎａｌ  Ｒｅｃｅｉｖｅｄ  Ｐｏｗｅｒ）でもよいし、ＲＲＣ  ＣｏｎｎｅｃｔｉｏｎＲｅｅｓｔａｂｉｌｓｈｍｅｎｔ  Ｒｅｑｕｅｓｔの送信や同期外れ、ＲＲＣ  ｃｏｎｎｅｃｔｉｏｎ  ｒｅ−ｅｓｔａｂｌｉｓｈｍｅｎｔプロシージャの開始をもって品質劣化と判定してもよい。
【０１０７】
接続管理部２０５は、基地局ｅＮＢとの間の品質が閾値を下回った場合、周辺のリレー端末ＵＥ１と接続を確立する。なお、接続管理部２０５は、基地局ｅＮＢと接続している間に周辺のリレー端末ＵＥ１の検出、リレー端末ＵＥ１からのＩＰアドレスの払い出し等の接続の一部を行ってもよい。
【０１０８】
このように、カバレッジ内のユーザ装置における品質が劣化した場合、リレー端末ＵＥ１との接続を確立することにより、ユーザ装置ＵＥ２と基地局ｅＮＢとの間の接続の安定が図られる。
【０１０９】
＜本発明の実施例の効果＞
以上のように、本発明の実施例によれば、Ｄ２Ｄリレーの通信経路が変化した場合、リモート端末ＵＥと基地局ｅＮＢとの間の接続の安定化を図ることが可能になる。
【０１１０】
（１）元のリレー端末ＵＥ１との接続中における別のリレー端末ＵＥ３の選択によれば、リモート端末ＵＥ２がＤ２Ｄリレーに適した別のリレー端末ＵＥ３を選択することにより、Ｄ２Ｄリレーのリンク障害が回避でき、リモート端末ＵＥ２と基地局ｅＮＢとの間の接続の安定が図られる。更に、別のリレー端末ＵＥ３の選択を周期的に行うことで、別のリレー端末ＵＥ３を選択する際の遅延を低減することができる。
【０１１１】
（２）元のリレー端末ＵＥ１と別のリレー端末ＵＥ３との双方によるマルチリンクの設定によれば、マルチリンクを設定し、リモート端末ＵＥ２からリレー端末ＵＥ１及びＵＥ３にデータをグループキャストで送信することにより、リモート端末ＵＥ２と基地局ｅＮＢとの間の接続性を維持することが可能になる。
【０１１２】
（３）元のリレー端末ＵＥ１との通信に用いられるＩＰアドレスの継続利用によれば、ＩＰアドレスを継続して利用することにより、リモート端末ＵＥ２はリレー端末ＵＥ３との間でＤＨＣＰによるＩＰアドレスの設定又はＲＳ／ＲＡによるＩＰアドレスの設定を行う必要がなく、リモート端末ＵＥ２と基地局ｅＮＢとの間のＩＰレイヤ上の接続性を維持することが可能になる。
【０１１３】
（４）リレー端末がカバレッジ内に移動したときの基地局ｅＮＢとの接続によれば、リモート端末ＵＥ２と基地局ｅＮＢとの接続が確立されるまでリレー端末ＵＥ１との接続を維持することにより、リモート端末ＵＥ２と基地局ｅＮＢとの間の接続の安定が図られる。
【０１１４】
（５）ユーザ装置がカバレッジ外に移動するときのリレー端末ＵＥ１又はＵＥ３との接続によれば、カバレッジ内のユーザ装置における品質が劣化した場合、リレー端末ＵＥ１との接続を確立することにより、ユーザ装置ＵＥ２と基地局ｅＮＢとの間の接続の安定が図られる。
【０１１５】
説明の便宜上、本発明の実施例に係るユーザ装置（リレー端末及びリモート端末）は機能的なブロック図を用いて説明しているが、本発明の実施例に係るユーザ装置は、ハードウェア、ソフトウェア又はそれらの組み合わせで実現されてもよい。例えば、本発明の実施例は、コンピュータに対して本発明の実施例に係るユーザ装置の各機能を実現させるプログラム、コンピュータに対して本発明の実施例に係る方法の各手順を実行させるプログラム等により、実現されてもよい。また、各機能部が必要に応じて組み合わせて使用されてもよい。また、本発明の実施例に係る方法は、実施例に示す順序と異なる順序で実施されてもよい。
【０１１６】
以上、Ｄ２Ｄリレーの通信経路が変化した場合、リモート端末ＵＥと基地局ｅＮＢとの間の接続の安定化を図るための手法について説明したが、本発明は、上記の実施例に限定されることなく、請求の範囲内において、種々の変更・応用が可能である。
【０１１７】
本国際出願は２０１５年３月３１日に出願した日本国特許出願２０１５−０７４１８７号に基づく優先権を主張するものであり、２０１５−０７４１８７号の全内容を本国際出願に援用する。
【符号の説明】
【０１１８】
１００  リレー端末（ユーザ装置）
１０１  信号送信部
１０２  信号受信部
１０３  Ｄ２Ｄ通信機能部
１０４  中継部
１０５  品質測定部
１０６  接続管理部
２００  リモート端末（ユーザ装置）
２０１  信号送信部
２０２  信号受信部
２０３  Ｄ２Ｄ通信機能部
２０４  リレー端末選択部
２０５  接続管理部
【図１】
2016158266.tif 000003
【図２】
2016158266.tif 000004
【図３】
2016158266.tif 000005
【図４】
2016158266.tif 000006
【図５】
2016158266.tif 000007
【図６】
2016158266.tif 000008
【図７】
2016158266.tif 000009
【図８】
2016158266.tif 000010
【図９】
2016158266.tif 000011
【図１０】
2016158266.tif 000012
【図１１】
2016158266.tif 000013
【国際調査報告】
2016158266.tif 000014
2016158266.tif 000015
2016158266.tif 000016
2016158266.tif 000017